(57)【要約】【課題】  従来の棒状化粧料収納容器ではハカマ部材と上部筒部材を固定させるためにハカマ部材と上部筒部材の嵌着固定部が水平方向に重なる必要があるが、その両部材の肉厚が重なる分だけ棒状化粧料収納容器が太くなりデザインが制限されてしまい商品価値を下げてしまうという課題がある。【解決手段】  上部筒部材及びハカマ部材はラセン部材に固定され、ラセン部材と上部筒部材の固定部がハカマ部材と、ラセン部材とハカマ部の固定部が上部筒部材と、それぞれ水平方向に重なり合わせない構造の棒状化粧料収納容器としたことで解決している。【選択図】図１
2019051116.tif 000002
【特許請求の範囲】
【請求項１】
下部に軸心方向の切り割り溝が形成され上端が開口している筒状の内筒部材と、前記内筒部材の切り割り溝が形成された部位を回動可能に覆い内部にラセン溝が形成されたラセン部材と、ラセン部材の上部を覆いラセン部材に抜け出し不能に固定された上部筒部材と、棒状化粧料を保持し内筒部材内を上下移動可能に形成され内筒部材の切り割り溝及びラセン部材のラセン溝と係合する係合ピンが形成された皿部材と、ラセン部材の下部を覆いラセン部材に抜け出し不能に固定されたハカマ部材とから構成された口紅等の棒状化粧料収納容器において、上部筒部材及びハカマ部材はラセン部材に対して回転不能とされ、ラセン部材と上部筒部材の固定部がハカマ部材と、ラセン部材とハカマ部材の固定部が上部筒部材と、それぞれ水平方向に重なり合わせない構造とした事を特徴とする口紅等の棒状化粧料収納容器。
【請求項２】
上部筒部材及びハカマ部材の軸心方向の接触面で上部筒部材あるいはハカマ部材が他方の部材内へわずかに潜り込むことにとってラセン部材が外部に露出しないことを特徴とする請求項１記載の口紅等の棒状化粧料収納容器。
【発明の詳細な説明】
【技術分野】
【０００１】
本発明は棒状化粧料を収納する棒状化粧料収納容器に関するものである。
【背景技術】
【０００２】
従来の口紅等の棒状化粧料収納容器では、下部に軸心方向の切り割り溝が形成され上端が開口している筒状の内筒部材と、前記内筒部材の切り割り溝が形成された部位を回動可能に覆い内部にラセン溝が形成されたラセン部材と、ラセン部材の上部を覆う上部筒部材と、棒状化粧料を保持し内筒部材内を上下移動可能に形成され内筒部材の切り割り溝及びラセン部材のラセン溝と係合する係合ピンが形成された皿部材と、ラセン部材の下部を回転不能に覆い上部筒部材に固定されたハカマ部材と、内筒部材の上部を着脱可能に覆う蓋とから構成されていて、ラセン部材を上部筒部材とハカマ部材で上下に挟み込むことによりラセン部材、内筒部材をハカマ部材より抜け出し不能としていた。
【０００３】
このような構造の棒状化粧料収納容器では、内筒部材、ラセン部材、皿部材の化粧料を出没させるために最低限必要な内部構造部材は、内筒部材の上部以外は外部に露出することがないため多種な製品に共通で使用され、上部筒部材、ハカマ部材、蓋のいわゆる外観を構成する部材の形状、色を変化させることで商品の差別化を行っていた。
【０００４】
しかしながらこのように構成された従来の棒状化粧料収納容器では、ハカマ部材と上部筒部材を固定させるためにハカマ部材と上部筒部材の嵌着固定部が水平方向に重なる必要があるが、棒状化粧料収納容器の破壊、分解強度などを考慮した場合のハカマ部材と上部筒部材にはその品質を維持するために最低限必要な肉厚を維持する必要があり、その両部材の肉厚が重なる分だけ収納容器が太くなりデザインが制限されてしまうので商品価値を下げてしまうという欠点があった。
【０００５】
この改善策として特許２６７８５７２号公報に記載される発明もあるが、この発明の構造では上部筒部材を使用せずとラセン部材の下部をハカマ部材覆うだけのものであり、ラセン部材の上部は外部に露出してしまうため化粧料収納容器の外観形状を変化させて商品を差別化するためにはラセン部材そのものを変更せねばならず、それにより部材の共通使用ができなくなり不経済であると共にデザインの自由度が狭くなるという欠点がある。
【先行技術文献】
【特許文献】
【０００６】
【特許文献１】特許２６７８５７２
【発明の概要】
【発明が解決しようとする課題】
【０００７】
解決しようとする課題は従来の棒状化粧料収納容器ではハカマ部材と上部筒部材を抜け出し不能に固定するためにハカマ部材と上部筒部材の嵌着固定部が水平方向に重なる必要があり、その両部材の肉厚が重なる分だけ棒状化粧料収納容器が太くなりデザインが制限されてしまうので商品価値を下げてしまうということである。
【課題を解決するための手段】
【０００８】
本発明は上部筒部材及びハカマ部材はラセン部材に固定され、ラセン部材と上部筒部材の固定部がハカマ部材と、ラセン部材とハカマ部の固定部が上部筒部材と、それぞれ水平方向に重なり合わせない構造の棒状化粧料収納容器としたことを主要な特徴としている。
【発明の効果】
【０００９】
本発明は上部筒部材及びハカマ部材はラセン部材に対して回転不能とされ、ラセン部材と上部筒部材の固定部がハカマ部材と、ラセン部材とハカマ部の固定部が上部筒部材と、それぞれ水平方向に重なり合わせない構造としたことにより、その両部材の肉厚が重なる分だけ棒状化粧料収納容器が太くなることがなくデザインが制限されて商品価値を下げてしまうということがないため、デザインの自由度が広がり商品価値を高めることができるという効果がある。
【図面の簡単な説明】
【００１０】
【図１】発明の実施例を示す断面説明図である。
【図２】図１Ａ部の拡大断面説明図である。
【図３】図１Ｂ部の拡大断面説明図である。
【図４】内筒部材、上部筒部材、ラセン部材、ハカマ部材の斜視説明図である。
【図５】発明の第２の実施例を示す断面説明図である。
【図６】発明の第２の実施例の図５Ａ部の拡大断面説明図である。
【図７】発明の第３の実施例を示す断面説明図である。
【図８】発明の第３の実施例の図７Ｂ部の拡大断面説明図である。
【図９】発明の第３の実施例の内筒部材、上部筒部材、ラセン部材、ハカマ部材の斜視説明図である。
【図１０】従来の棒状化粧料収納容器の断面図である。
【発明を実施するための形態】
【００１１】
上部筒部材下部とハカマ部材上部の固定部を水平方向に重なり合わせない構造とするという目的を、ラセン部材の上部を覆いラセン部材に抜け出し不能に固定された上部筒部材と、ラセン部材の下部を覆いラセン部材に抜け出し不能に固定されたハカマ部材と、上部筒部材及びハカマ部材はラセン部材に対して回転不能とされ、ラセン部材と上部筒部材の固定部がハカマ部材と、ラセン部材とハカマ部の固定部が上部筒部材と、それぞれ水平方向に重なり合わせない構造としたことで実現した。
【実施例】
【００１２】
図１ないし図４に示す発明の第１の実施例において、１は両端が開口し筒状に形成された内筒部材で、この内筒部材２は中央部に環状凸部９を有し、下方には軸心方向の切り割り溝１０が形成されている。
【００１３】
２はラセン部材で、このラセン部材２は前記内筒部材１の切り割り溝１０が形成された部位を回動可能に覆う筒状に成形され、内側にはラセン溝１１が形成されている。
【００１４】
５は皿部材で、この皿部材５は上部に棒状化粧料６を保持し、下部には内筒部材１の切り割り溝 １０を通ってラセン部材２のラセン溝１１と係合する係合ピン１２が形成されていて、この係合ピンの作用で内筒部材１とラセン部材２を回動させることによって皿部材５を内筒部材１内で上下移動させ、化粧料６を内筒部材１の先端より出没させることができる構造となっている。
【００１５】
３は前記ラセン部材２の上部を覆うようにラセン部材２に固定された上部筒部材で、その内部には前記ラセン部材２の上部に形成された上部係止部１３と係合して上部筒部材３を抜け出し不能に固定することができる上部筒内係止部１４が形成され、この上部係止部１３と上部筒内係止部１４が係合することでラセン部材２と上部筒部材３が抜け出し不能に固定されている。
さらにこの上部筒部材３は前記内筒部材１に形成された環状凸部９の上部を押さえることで内筒部材１がラセン部材２より抜け出すことを防止している。
【００１６】
さらに前記ラセン部材２の上部外周面にはラセン部材２に固定された上部筒部材３を回転不能とするため上部回転止めリブ１５が形成され、この上部回転止めリブ１５がこれと対応する部位の上部筒部材３の内面に形成された上部筒内回転止めリブ１６と係合することによってラセン部材２と上部筒部材３が回転不能とされている。
【００１７】
４は前記ラセン部材２の下部を覆うようにラセン部材２に固定されたハカマ部材で、その内部には前記ラセン部材２の上部係止部１３より下部に形成された下部係止部１７と係合してハカマ部材４を抜け出し不能に固定することができるハカマ内係止部１８が形成され、この下部係止部１７とハカマ内係止部１８が係合することでラセン部材２とハカマ部材４が抜け出し不能に固定されている。
【００１８】
さらに前記ラセン部材２の上部回転止めリブ１５より下部外周面にはラセン部材２に固定されたハカマ部材４を回転不能とするため下部回転止めリブ１９が形成され、この下部回転止めリブ１９がこれと対応する部位のハカマ部材４の内面に形成されたハカマ内回転止めリブ２０と係合することによってラセン部材２とハカマ部材４が回転不能とされている。
【００１９】
このようにハカマ部材２は上部筒部材３とハカマ部材４によって上下に覆われているのでラセン部材２が外部に露出することがない。
【００２０】
７は内筒部材の上部を着脱可能に覆い、本説明では上部筒部材３と嵌合する蓋である。
【００２１】
次に発明の異なる実施例について説明する。なお前記第１の実施例と同一構成部分には同一符号を付し説明を省略する。
図５ないし図６に示す第２の実施例において、第１の実施例と主に異なる点は上部筒部材３ａ及びハカマ部材４ａの軸心方向の接触面で、ラセン部材２と上部筒部材３ａの固定部あるいはラセン部材２とハカマ部材４ａの固定部の水平方向に位置しない部位に設けた上部筒部材３ａとラセン部材４ａの接触面では、
上部筒部材３ａの内側がハカマ部材４ａの内側にわずかに入り込む、あるいは逆にハカマ部材４ａの内側が上部筒部材３ａの内側にわずかに入り込む
構造としたもので、このような構造としたことで上部筒部材３ａとハカマ部材４ａの接触面の隙間からラセン部材２が外部へ露出してしまうことを防止することができる。
【００２２】
図７ないし図９に示す第３の実施例において、第１の実施例と主に異なる点はラセン部材２ｂと上部筒部材３ｂ及びハカマ部材４ｂの回転防止の構造で、この第２の実施例では上部筒部材３ｂの下部に形成した上部筒部材下回転止めリブ２１とハカマ部材４ｂの上部に形成したハカマ上回転止めリブ２２を係合させるもので、それによってラセン部材２ｂに回転不能に固定されたハカマ部材４ｂと上部筒部材３ｂを回転不能とすることでラセン部材２ｂと上部筒部材３ｂを回転不能とするものである。
【００２３】
この第３の実施例の場合、ラセン部材２ｂの上部外周面には上部回転止めリブ１５が不要となり、上部筒部材３ｂの内面の上部筒内回転止めリブ１６も不要となるものであり、さらに上部筒部材３ｂの上部筒下回転止めリブ２１部とハカマ部材４ｂのハカマ上回転止めリブ２２部は水平方向に重なり合うことになるが、回転止め構造はその機能を達成するために部材に大きな肉厚を必要とするものではなく、ラセン部材２ｂと上部筒部材３ｂの固定部がハカマ部材４ｂと、またラセン部材２ｂとハカマ部材４ｂの固定部が上部筒部材３ｂと、それぞれ水平方向に重なり合うことはないのでこのような構造とした場合でも棒状化粧料収納容器が太くなってしまうということはない。
【００２４】
図１０に示す構造はハカマ部材４と上部筒部材３の嵌着固定部が水平方向に重なる、従来の棒状化粧料収納容器を示すものである。
【産業上の利用可能性】
【００２５】
本発明は以上説明したように構成されているのでリップクリーム、スティックアイシャドウなどの他の化粧料収納容器にも適用できる。
【符号の説明】
【００２６】
１  内筒部材
２、２ｂ  ラセン部材
３、３ａ、３ｂ  上部筒部材
４、４ａ、４ｂ  ハカマ部材
５  皿部材  
６  棒状化粧料
７  蓋
９  環状凸部
１０  切割り溝
１１  ラセン溝
１２  係合ピン
１３  上部係止部
１４  上部筒内係止部
１５  上部回転止めリブ
１６  上部筒内回転止めリブ
１７  下部係止部
１８  ハカマ内係止部
１９  下部回転止めリブ
２０  ハカマ内回転止めリブ
２１  上部筒下回転止めリブ
２２  ハカマ上回転止めリブ
【図１】
2019051116.tif 000003
【図２】
2019051116.tif 000004
【図３】
2019051116.tif 000005
【図４】
2019051116.tif 000006
【図５】
2019051116.tif 000007
【図６】
2019051116.tif 000008
【図７】
2019051116.tif 000009
【図８】
2019051116.tif 000010
【図９】
2019051116.tif 000011
【図１０】
2019051116.tif 000012